(57)【要約】      （修正有）【課題】細かい粉塵と液体も、大きな粉塵や液体或は粉塵を含む液体も１台で回収することができる集塵機を提供する。【解決手段】モータ４と、該モータ４によって回転駆動される集塵ファン７と、該集塵ファン７の回転によって吸引された粉塵や液体或は粉塵を含む液体を空気と分離する円錐台状の着脱可能なフィルタ濾布を備えたフィルタ装置１２と、液体や粉塵を含む液体の一定量以上の吸引を阻止するフロート装置１６と、前記フィルタ装置１２によって空気と分離された粉塵や液体或は粉塵を含む液体を収容するタンク２を備えた集塵機１において、プリーツ状に折られて円筒状又は円錐台状に成形されたフィルタ濾布をフィルタケース１５内に収容して構成されたフィルタ装置１２を用途に応じて前記フィルタ装置１２と交換可能とするとともに、交換したフィルタ装置１２の内部にフロート装置１６を収納可能とする。【選択図】図１
2008284236.tif 000002
【特許請求の範囲】
【請求項１】
モータと、該モータによって回転駆動される集塵ファンと、該集塵ファンの回転によって吸引された粉塵や液体或は粉塵を含む液体を空気と分離する円錐台状の着脱可能なフィルタ濾布を備えたフィルタ装置と、液体や粉塵を含む液体の一定量以上の吸引を阻止するフロート装置と、前記フィルタ装置によって空気と分離された粉塵や液体或は粉塵を含む液体を収容するタンクを備えた集塵機において、
プリーツ状に折られて円筒状又は円錐台状に成形されたフィルタ濾布をフィルタケース内に収容して構成されたフィルタ装置を用途に応じて前記フィルタ装置と交換可能とするとともに、交換したフィルタ装置の内部に前記フロート装置を収納可能としたことを特徴とする集塵機。
【発明の詳細な説明】
【技術分野】
【０００１】
本発明は、集塵ファンによって吸引された粉塵や液体或は粉塵を含む液体を空気と分離して回収する集塵機に関するものである。
【背景技術】
【０００２】
図２に集塵機１の使用形態の一例を示すが、該集塵機１は、例えば丸鋸盤等の電動工具３０に可撓性のダクトホース４０によって接続され、電動工具３０による木材等の被切断材Ｗの切断によって発生する粉塵を吸引して回収するものであって、粉塵を溜めるタンク２と、該タンク２の上部に被着されたヘッド部３を備えている。ここで、ヘッド部３には駆動源であるモータ４等が備えられており、ヘッド部４は、クランプ５を操作することによってタンク２に対して容易に着脱される。
【０００３】
而して、集塵機１と電動工具３０を共に駆動し、被切断材Ｗに沿って電動工具３０を矢印方向に移動させて切断作業を開始すると、切断作業によって発生した粉塵が集塵機１に発生する吸引力によって空気と共に引かれて電動工具３０の粉塵排出口３１からダクトホース４０を通って集塵機１へと搬送され、集塵機１のタンク２内に設けられた不図示のフィルタ装置によって空気と粉塵とに分離され、粉塵はタンク２内に回収される。尚、粉塵と分離された空気は大気中に排出される。
【０００４】
そして、切断作業が終了すると、作業者は、電動工具３０の起動・停止スイッチ３２をＯＦＦした後、集塵機１まで移動するか或いは不図示のリモコンによって該該集塵機１の不図示の起動・停止スイッチをＯＦＦする。
【０００５】
ところで、斯かる集塵機１には、コンクリート粉等の粒径が比較的小さな粉塵を回収する乾式集塵機と、主に液体と粒径が比較的大きな粉塵を回収するための乾湿両用集塵機とがある。
【０００６】
ここで、乾式集塵機の例を図３に示し、乾湿両用集塵機の例を図４に示す。
【０００７】
図３に示す乾式集塵機１Ａは、粉塵を溜めるタンク２と、該タンク２の上部に被着されたヘッド部３を備えている。ヘッド部３においては、モータベース６にモータ４と集塵ファン７が内蔵されており、モータ４から垂直下方に延びる出力軸（モータ軸）４ａに集塵ファン７が直結されている。又、ヘッド部３には、モータ４を起動・停止するための起動・停止スイッチ８と、空気を排出する排出口９と、当該ヘッド部３を把持するための把手１０等が設けられている。
【０００８】
他方、タンク２は下方に向かって広がる有底円筒状に成形されており、その下部には複数のキャスタ１１が取り付けられている。又、このタンク２の内部にはフィルタ装置１２Ａが収容されており、タンク２の側部には、図２に示す電動工具３０から延びるダクトホース４０を接続するための吸込口１３が開口している。
【０００９】
ここで、上記フィルタ装置１２Ａは、プリーツ状に折られて円筒状又は円錐台状に成形されたフィルタ濾布１４Ａをフィルタケース１５内に収容して構成され、フィルタケース１５の上端開口部周縁に形成されたフランジ状の取付部１５ａをタンク２に取り付けることによってタンク２内に収容保持されている。
【００１０】
以上のように構成された乾式集塵機１Ａにおいて、起動・停止スイッチ８をＯＮしてモータ４を起動すると、該モータ４の出力軸４ａとこれに直結された集塵ファン７が回転し、タンク２内に吸引力（負圧）が発生し、図２に示す電動工具３０による被切断材Ｗの切断によって発生した粉塵が空気と共にダクトホース４０を通って当該集塵機１Ａの吸込口１３からタンク２内に吸引される。
【００１１】
タンク２内に空気と共に吸引された粉塵は、タンク２の内周面に沿って旋回しながら自重で落下してタンク２内の底部に溜る。そして、タンク２内の底部に落下しなかった粉塵は、フィルタ装置１２Ａのフィルタ濾布１４Ａによって濾過されて空気と分離され、空気のみがフィルタ濾布１４Ａを通過してヘッド部３の排出口９から外部へと排出され、分離された粉塵はフィルタ濾布１４Ａの周面に付着する。
【００１２】
又、図４に示す乾湿両用集塵機１Ｂは、タンク２内の中心部に配されたフロート装置１６の上端外周をネジ１７によってモータベース６の下部に取り付けるとともに、フロート装置１６の周囲に円筒状又は円錐台状に成形されたフィルタ濾布１４Ｂを備えたフィルタ装置１２Ｂの上端を取付部１２ａによってタンク２に取り付けている。尚、この乾湿両用集塵機１Ｂの他の構成は図３に示した乾式集塵機１Ａのそれと同じであるため、同一要素には同一符号を付し、それらについての再度の説明は省略する。
【００１３】
而して、この乾湿両用集塵機１Ｂにおいては、比較的粒径の大きな粉塵はフィルタ装置１２Ｂのフィルタ濾布１４Ｂによって濾過されて空気と分離され、フィルタ濾布１４Ｂを通過した空気に含まれる液体はフロート装置１６によって空気と分離され、空気のみがヘッド部３の排出口９から外部へと排出される。
【００１４】
以上のように乾式集塵機１Ａは比較的粒径の小さな粉塵を集塵し、乾湿両用集塵機１Ｂは液体と粒径が比較的大きな粉塵を集塵するためのものであるため、粒径の小さな粉塵と液体を回収したい場合には、乾式集塵機１Ａと乾湿両用集塵機１Ｂをそれぞれ作業現場に持ち込まなければならず、これら２台の集塵機１Ａ，１Ｂの搬送が大変であるばかりか、２台の集塵機１Ａ，１Ｂを購入する必要があるためにコストアップを免れないという問題があった。
【００１５】
そこで、図３に示す乾式集塵機１Ａで液体を集塵する場合には、図４に示すフロート装置１６をモータベース６にネジ１７で取り付け、図４に示すフィルタ装置１２Ｂをタンク２に取り付けることが行われていた。
【００１６】
又、図４に示す乾湿両用集塵機１Ｂで細かい粉塵を回収する場合には、モータベース６にネジ止めされたフロート装置１６を工具を用いてモータベース６から取り外し、図３に示すフィルタ装置１２Ａをタンク２に取り付けることが行われていた。或は、図４に示す乾湿両用集塵機１Ｂからフィルタ装置１２Ｂを取り外し、図５に示すように、プリーツ状に折られて円筒状に成形されたフィルタ濾布１４Ｃの上下端面にウレタンゴム等のリング状の固定部材１８を取り付けて成るフィルタ装置１２Ｃを円板部材１９を介してフロート装置１６に蝶ナット２０で取り付けることも行われていた。
【特許文献１】特開２００２−３００９９２号公報
【特許文献２】特開２００２−０４５３１７号公報
【発明の開示】
【発明が解決しようとする課題】
【００１７】
しかしながら、上記従来の方法では、フロート装置１６やフィルタ装置１２Ａ，１２Ｂをタンク２に対して取り付け或は取り外す必要があり、その作業が大変で面倒であるという問題があった。
【００１８】
又、図５に示すように、細かい粉塵を集塵するためのフィルタ装置１２Ｃを乾湿両用集塵機１Ｂに取り付けて使用した場合、集塵作業を続けるとフィルタ濾布１４Ｃの周面に粉塵の層が形成されてフィルタ濾布１４Ｃが目詰まり状態となって該フィルタ濾布１４Ｃの内外で圧力差が発生し、この圧力差によってフィルタ濾布１４Ｃが鎖線にて示すように内側に湾曲する。このようにフィルタ濾布１４Ｃが湾曲すると、フィルタ装置１２Ｃとモータベース６との間に隙間が発生し、その隙間から粉塵が漏れ出るという問題が発生する。
【００１９】
本発明は上記問題に鑑みてなされたもので、その目的とする処は、細かい粉塵と液体も、大きな粉塵や液体或は粉塵を含む液体も１台で回収することができる集塵機を提供することにある。
【課題を解決するための手段】
【００２０】
上記目的を達成するため、本発明は、モータと、該モータによって回転駆動される集塵ファンと、該集塵ファンの回転によって吸引された粉塵や液体或は粉塵を含む液体を空気と分離する円錐台状の着脱可能なフィルタ濾布を備えたフィルタ装置と、液体や粉塵を含む液体の一定量以上の吸引を阻止するフロート装置と、前記フィルタ装置によって空気と分離された粉塵や液体或は粉塵を含む液体を収容するタンクを備えた集塵機において、プリーツ状に折られて円筒状又は円錐台状に成形されたフィルタ濾布をフィルタケース内に収容して構成されたフィルタ装置を用途に応じて前記フィルタ装置と交換可能とするとともに、交換したフィルタ装置の内部に前記フロート装置を収納可能としたことを特徴とする。
【発明の効果】
【００２１】
本発明によれば、フロート装置と、粉塵や液体或は粉塵を含む液体を分離可能なフィルタ装置を備えた集塵機において、細かい粉塵と液体を回収する用途に対してはフロート装置を取り外すことなくフィルタ装置のみを交換すれば済むため、大きな手間を要することなく、細かい粉塵と液体も、大きな粉塵や液体或は粉塵を含む液体も１台の集塵機で回収することができて経済的である。
【００２２】
又、細かい粉塵を分離するフィルタ装置は、プリーツ状に折られて円筒状又は円錐台状に成形されたフィルタ濾布をフィルタケース内に収容して構成されるため、フィルタ濾布に目詰まりが発生し、該フィルタ濾布の内外に圧力差が発生しても、フィルタ濾布の変形が防がれる。
【発明を実施するための最良の形態】
【００２３】
以下に本発明の実施の形態を添付図面に基づいて説明する。
【００２４】
図１は本発明に係る集塵機の破断側面図であり、本図においては図３及び図４に示したものと同一要素には同一符号を付している。
【００２５】
本発明に係る集塵機１は、基本的には図４に示した乾湿両用集塵機１Ｂと同じであって、比較的粒径の大きな粉塵や液体或は粉塵を含む液体を分離して回収する場合には、図４に示すフィルタ装置１２Ｂが取り付けられて使用される。
【００２６】
そして、本発明に係る集塵機１は、細かい粉塵と液体を回収する用途に対しては、フロート装置１６はそのままの状態でフィルタ装置１２のみをタンク２から取り外し、図１に示すように、細かい粉塵の回収に適したフィルタ装置１２をタンク２に取り付けて使用される。このとき、フロート装置１６はフィルタ装置１２の内部に収納される。
【００２７】
ここで、細かい粉塵の回収に適した上記フィルタ装置１２は、プリーツ状に折られて円筒状又は円錐台状に成形されたフィルタ濾布１４をフィルタケース１５内に収容して構成されており、その下面はフィルタケース１５の底面に固着されている。
【００２８】
従って、本発明によれば、フロート装置１６と、粉塵や液体或は粉塵を含む液体を分離可能なフィルタ装置１２Ｂを備えた集塵機１において、細かい粉塵と液体を回収する用途に対してはフロート装置１６を取り外すことなくフィルタ装置１２Ｂをフィルタ装置１２に交換すれば済むため、大きな手間を要することなく、細かい粉塵と液体も、大きな粉塵や液体或は粉塵を含む液体も１台の集塵機１で回収することができて経済的である。
【００２９】
又、細かい粉塵を分離するフィルタ装置１２は、プリーツ状に折られて円筒状又は円錐台状に成形されたフィルタ濾布１４をフィルタケース１５内に収容して構成されるため、フィルタ濾布１４に目詰まりが発生し、該フィルタ濾布１４の内外に圧力差が発生しても、該フィルタ濾布１４の変形が防がれ、粉塵が漏れ出る等の不具合が発生することがない。
【図面の簡単な説明】
【００３０】
【図１】本発明に係る集塵機の破断側面図である。
【図２】集塵機の使用形態の一例を示す斜視図である。
【図３】乾式集塵機の破断側面図である。
【図４】乾湿両用集塵機の半裁断面図である。
【図５】乾湿両用集塵機に乾式集塵機用のフィルタ装置を取り付けて使用する例を示す破断側面図である。
【符号の説明】
【００３１】
１        集塵機
１Ａ      乾式集塵機
１Ｂ      乾湿両用集塵機
２        タンク
３        ヘッド部
４        モータ
４ａ      モータの出力軸（モータ軸）
５        クランプ
６        モータベース
７        集塵ファン
８        起動・停止スイッチ
９        排出口
１０      把手
１１      キャスタ
１２      フィルタ装置
１３      吸込口
１４      フィルタ濾布
１５      フィルタケース
１５ａ    フィルタケースの取付部
１６      フロート装置
１７      ネジ
１８      固定部材
１９      円板部材
２０      蝶ナット
３０      電動工具
４０      ダクトホース
Ｗ        被切断材
【図１】
2008284236.tif 000003
【図２】
2008284236.tif 000004
【図３】
2008284236.tif 000005
【図４】
2008284236.tif 000006
【図５】
2008284236.tif 000007